(57)【特許請求の範囲】
【請求項１】
遊技盤１２の前面側に、図柄変動開始用の始動入賞口２４と、この始動入賞２４での遊技球入賞条件に基づいて図柄を変動表示するための液晶ディスプレイ表示部２２を有する液晶ディスプレイ本体２３を装備するとともに遊技球用のワープ通路を形成したセンター役物１４が設置されたパチンコ機１０において、
前記センター役物１４には、前記遊技盤１２の表面側に取着される枠状の本体部１４ａと、前記遊技盤１２の裏面側で該本体部１４ａに対応する整合部位に位置決め取着される方形枠状の液晶取付け部材６５と、該液晶取付け部材６５の後側で前記液晶ディスプレイ表示部２２を前向きにして位置決め装着される前記液晶ディスプレイ本体２３と、前記液晶ディスプレイ表示部２２の表示画面に起立状態で設置保持されてモータ９４及び駆動歯車９２により回転及び停止制御される偏光フィルタ９０とが備えられており、
前記本体部１４ａには、正面中央に方形枠状に形成された周壁部５４ａ，５４ｂ，５４ｃ，５４ｄの内周囲面域に前後方向に開通状に形成されて、前記偏光フィルタ９０越しに前記液晶ディスプレイ表示部２２に表示される図柄を透視し得る方形窓状の中央開口部５０と、前記本体部１４ａの前側中段部の左側と右側との対称状部位に形成配置されて、遊技球を導入し得る遊技球導入部５６ａ，５６ｂおよび導入口６０ａ，６０ｂと、前記本体部１４ａの左右の各導入口６０ａ，６０ｂの後端部に延長して連通形成されて、遊技球を後側の前記液晶取付け部材６５に向けて導入する球通路５３，５３と、下段の周壁部５４ｄの中央部に形成されて前記始動入賞口２４の直上方向に位置する遊技球用の誘導溝５７とが設けられ、
前記液晶取付け部材６５には、正面の中央内部に開口された方形状の開口部６４内に前記本体部１４ａの周壁部５４ａ，５４ｂ，５４ｃ，５４ｄを嵌挿した状態で前記遊技盤１２の裏面に当接状態で位置決め固定された枠本体６６と、該枠本体６６の前記開口部６４内の左右両側に隔離対称状態で縦向きに配置されて、前記本体部１４ａの遊技球導入部５６ａ，５６ｂ、導入口６０ａ，６０ｂ及び球通路５３，５３から導入された遊技球を受入れて前記本体部１４ａの周壁部５４ｄに向けて排出する左右の通路形成部材７１ａ，７１ｂとが設けられており、該通路形成部材７１ａ，７１ｂは、前記本体部１４ａの左右の前記球通路５３，５３の後開口部に整合連通する開口部８０ａ，８０ｂと、上下の球誘導路８２ａ，８２ｂと、下端に形成した放出口６２ａ，６２ｂとを連通して、各放出口６２ａ，６２ｂを前記本体部１４ａの周壁部５４ｄの左端部と右端部に臨ませており、
前記液晶ディスプレイ本体２３は、前記液晶取付け部材６５の後側に起立状態で位置決め用の凹部６７とボス７０により装着されて、前記液晶ディスプレイ表示部２２の表示画面を、前記本体部１４ａの中央開口部５０の後開口面に離隔間隔を置いて臨ませており、
前記偏光フィルタ９０は、前記液晶ディスプレイ表示部２２の表示画面より広い円盤形に形成されて、前記本体部１４ａの中央開口部５０の後開口面と前記液晶ディスプレイ本体２３の液晶ディスプレイ表示部２２の表示画面との間に起立状態で配置されて、前記液晶取付け部材６５の後側の各部位に配置された回転案内用の保持部９５により回転可能に支持され、偏光フィルタ９０の全外周円に形成された歯と、前記モータ９４で駆動される駆動歯車９２とが噛合されていることを特徴としたパチンコ機。
【発明の詳細な説明】
【０００１】
【発明の属する技術分野】
本発明は、いわゆるパチンコ機に関し、詳しくは、パチンコ機に備えられたワープ機構に関する。
【０００２】
【従来の技術】
近年、パチンコ機におけるパチンコ遊技の高度化・多様化に伴い、遊技盤面に配置される遊技装置も大型化してきている。例えば、センター役物といわれる遊技盤面のほぼ中央に配置される遊技装置は、種々の図柄を表示するための比較的大型の液晶ディスプレイを装備すると共にその周囲には遊技内容にマッチしたデザインが施された合成樹脂製装飾部材等によって高度に装飾化されてきており、大型化の傾向が著しい。その一方で、パチンコ遊技の高度化により、種々の特定入賞口（例えば所定の特別遊技状況を開始させる始動口）を遊技盤面上に設ける必要も生じている。この種の入賞口は、通常、センター役物の下方に相当する遊技領域に配置される場合が多い。しかしながら、上述のようにセンター役物が大型化した結果、パチンコ機の発射装置より遊技盤面上に射出されたパチンコ球（以下「遊技球」という。）を当該センター役物を迂回させつつ上記領域にある入賞口に入賞させることは困難である。
このため、上記遊技領域に配置した入賞口に遊技球をある頻度で入賞させるためには、センター役物の直下方向等に当該遊技球を効率よく誘導し得る誘導手段を設ける必要がある。
【０００３】
そこで、上記目的のための誘導手段の一つとして、いわゆるワープ機構といわれる球誘導機構がセンター役物に備えられている。このワープ機構は、遊技盤面上のある地点を流下する遊技球を専用の球誘導路を介して遊技盤面上の他の地点に強制的に誘導する経路を構成するものである。このようなワープ機構をセンター役物に具備させることによって、当該センター役物の直下方向に遊技球を誘導することが可能となる。すなわち、センター役物に上記球誘導路を形成すると共に、その誘導路に連通させたワープ入口（導入口）とワープ出口（放出口）とを設けることによって、上記センター役物に阻まれることなく、当該センター役物の下方に設けられた入賞口方向に遊技球を積極的に誘導することができる。
【０００４】
【発明が解決しようとする課題】
ところで、上述したような従来のワープ機構（即ち球誘導路）を、センター役物等の遊技装置に形成（特にセンター役物等の遊技装置の正面側に形成）することは、当該遊技装置のサイズをさらに大きくする結果を招いていた。このため、当該遊技装置を遊技盤に装着するために遊技盤に形成された穴（以下「取付け穴」という。）もさらに大きくする必要があった。
しかしながら、センター役物のように元々大きな遊技装置をさらに大きくすることは、遊技盤面上の遊技領域をそれだけ狭めることとなり、当該遊技装置以外の各種遊技装置や入賞口（役物）の配置あるいは遊技釘の配置（ゲージ構成）が制限されてしまう。また、取付け穴自体が大きくなることは、遊技盤そのものの耐久性や強度を低下させる要因ともなり得るため好ましいことではない。
【０００５】
本発明はパチンコ機におけるワープ機構に関する上記従来の問題点を解決するものであり、その目的とするところは、遊技盤に装着されるセンター役物等の遊技装置にワープ機構が備えられた場合であっても、当該遊技装置がそのことによって余計に大型化しないように構成されたパチンコ機を提供することである。
【０００６】
【課題を解決するための手段】
上記目的を実現するため、本発明においては、遊技球を受け入れる導入口と、当該導入口に受け入れた遊技球を該導入口とは異なる位置から放出する放出口とが形成された遊技装置を遊技盤に備えたパチンコ機であって、その遊技装置には遊技盤を貫通する開口部が形成されており、その開口部の周壁部は、その少なくとも一部が遊技盤の裏面側に突き出るようにして設けられており、ここで当該導入口と放出口との間の球誘導路の少なくとも一部が、当該周壁部における遊技盤裏面側に突き出た部分に接して形成されているパチンコ機（以下「本発明のパチンコ機」という。）を提供する。
【０００７】
本発明のパチンコ機では、上記ワープ機構を構成する球誘導路がセンター役物等の遊技装置に設けられた開口部周壁部における遊技盤裏面側に突き出た部分に接して形成されている。これにより、当該周壁部の一部が球誘導路を構成する隔壁の一部を担うこととなり、結果、当該球誘導路を余計なスペースを確保することなくコンパクトに形成することができる。従って、本発明のパチンコ機によれば、センター役物等の遊技装置が余計に大型化することや当該遊技装置用の取付け穴が無用に大きくなることを防止しつつ上記ワープ機構を具備することができる。そして、ワープ機構を備えても、役物の配置やゲージ構成の制限を抑止することができる。また、従来のワープ機構付きセンター役物におけるような取付け穴自体の大型化を伴わない結果、そのことによる遊技盤そのものの耐久性や強度の低下を未然に防ぐことができる。
【０００８】
また、本発明のパチンコ機において、上記周壁部における上記球誘導路に接する部位の一部に、上記放出口が形成されているパチンコ機（以下「本発明のパチンコ機」という。）を提供する。本発明のパチンコ機では、放出口が上記球誘導路に接する周壁部に設けられている結果、当該球誘導路を通行してきた遊技球を遊技装置における上記開口部内に放出することができる。これにより、ワープ機構がよりコンパクトに形成され得るため、当該遊技装置の大型化をさらに顕著に抑えつつ上記ワープ機構を具備することができる。従って、本発明のパチンコ機によれば、上記ワープ機構を備えつつ、役物の配置やゲージ構成の制限をさらに効果的に抑止することができる。
【０００９】
さらにまた、本発明のパチンコ機において、上記周壁部における球誘導路に接する部位が、透明または半透明な状態に形成されているパチンコ機（以下「本発明のパチンコ機」という。）を提供する。本発明のパチンコ機では、上記周壁部の一部であって上記球誘導路を構成する隔壁の一部が透明または半透明（内部の視認性が保たれるレベルをいう）に形成されているため、遊技者はパチンコ機（遊技盤）の正面側から開口部および当該透明または半透明の周壁部を通して球誘導路内を目視することができる。これにより、当該遊技装置を無用に大型化することなく、球誘導路（即ちワープ経路）を通行している遊技球を視認することができる。従って、本発明のパチンコ機によれば、遊技装置および取付け穴を余計に大型化することなく、内部を通行する遊技球が見えるワープ機構を具備することができる。而して、このような「見えるワープ機構」が提供されることによって、本発明のパチンコ機によれば、上記問題点を解決すると同時に、さらに、球誘導路に受け入れられた遊技球の行方が判らなくなることに起因するパチンコ遊技に対する不信感や焦燥感（苛立ち）を遊技者に生じさせ得るという従来のワープ機構における他の問題点（課題）をも解決することができる。
【００１０】
【発明の実施の形態】
以下、本発明によって提供されるパチンコ機（上記本発明のパチンコ機を包含する。）の好適な実施形態を図面を参照しつつ説明する。
【００１１】
なお、図１は、本実施形態に係るパチンコ機１０の正面図であり、種々の遊技装置が装着された遊技盤を正面側から示すものである。なお、本パチンコ機１０においては、後述する本発明を特定するもの以外の部分（金枠の具体的な形状、遊技球発射装置の仕組み、賞球払出装置の配置場所、等）は、従来のパチンコ機におけるものと同様であればよく、なんら本発明を特徴付けるものではないため、これらについての詳細な説明および図示は省略する。
【００１２】
図１に示すように、このパチンコ機１０は、従来の一般的なパチンコ機と同様の外観を成しており、長方形枠状に成形された本体の前面に遊技盤１２を透視し得るガラス板を嵌め込み装着した金枠１８が開閉可能に軸着されている。一方、金枠１８の下部には、パチンコ球の受け皿である上皿３８が取り付けられている。この上皿３８の内側には、スピーカ３６が設置されており、遊技状況に応じた効果音等を発生させることができる。一方、上皿３８の下方には、パチンコ球の受け皿の一つである下皿３２や灰皿３４が備えられており、その横にはパチンコ球を遊技盤１２上に発射するための発射装置（図示せず）に接続されるハンドル２８が装着されている。
【００１３】
本パチンコ機１０に装着された遊技盤１２は、従来のパチンコ機に使用されるものと同様、フラットな合板等で構成されている。この遊技盤１２の表面には後述する種々の遊技用構造物・装置類が装着されており、本パチンコ機１０における遊技領域を形成している。遊技領域の周囲（金枠１８の内外）には装飾灯１６が配備されており、パチンコ遊技状況に応じて適宜点灯するように制御されている。
この遊技領域のほぼ中央部分には、本発明を特徴付ける大型遊技装置１４（以下「センター役物１４」という。）が組み込まれている。このセンター役物１４は後述する特別図柄および普通図柄を表示するために構築された装置であってその中央部分には液晶ディスプレイ表示部２２（ここではモノカラーの液晶タイプ）が備えられている。また、液晶ディスプレイ表示部２２の上方には、動物を象ったキャラクタ装飾板４４とともに普通図柄表示器（ここでは７セグメントＬＥＤ）１９および計４個の保留表示ランプ２０が備えられている。なお、センター役物１４の構造および遊技盤１２への取付けに関する詳細は後述する。
【００１４】
センター役物１４の周囲には、遊技釘や一般入賞口等とともに本パチンコ機１０においていわゆる第１種パチンコ遊技を行うための種々の遊技用構造物が配置されている。すなわち、センター役物１４の下方には、第１種始動口２４に相当する入賞口が備えられている。この第１種始動口２４の両サイドには遊技球通過ゲート２５，４３が備えられている。さらに、第１種始動口２４の下方には、大入賞口２６ａを構成する特別入賞装置２６（アタッカーともいう）が備えられている。大入賞口２６ａには可動片２６ｃが付設されており、ソレノイド４０によって開閉制御される。また、この大入賞口２６ａの下方には上記第１種始動口２４と同様の機能を有する下部始動口２６ｂが設けられている。なお、この下部始動口２６ｂにはソレノイドに接続された蓋（いずれも図示せず）が備えられている。而して、通常時はこの蓋によって下部始動口２６ｂは閉鎖されている。
【００１５】
次に、本パチンコ機１０で実施されるパチンコ遊技の内容を簡単に説明する。本実施形態にかかる遊技盤１２は、いわゆる第１種パチンコ遊技を実施するために構成されたものであり、上述の各種遊技装置の動作は、パチンコ機１０本体（典型的には遊技盤１２の裏面側）に設けられた図示しない制御部によって遊技内容およびその進行状況に応じて電気的に制御されている。すなわち、本遊技盤１２に射出された遊技球が遊技球通過ゲート２５，４３を通行すると上記センター役物１４の普通図柄表示器１９において図柄（ここでは７セグメントＬＥＤによる０〜９の数字）が変動する。而して、普通図柄表示器１９において普通図柄が所定時間（例えば２０秒間）変動した後に所定の当たり図柄（例えば７）が表示された場合、上記蓋が開き、下部始動口２６ｂが所定時間（ここでは１秒間）開放される。
【００１６】
一方、第１種始動口２４または下部始動口２６ｂに遊技球が入球すると上記センター役物１４における液晶ディスプレイ表示部２２において特別図柄が変動する。なお、この特別図柄変動時にさらに遊技球が第１種始動口２４または下部始動口２６ｂに入球した場合、４回まで変動機会が保留される。従って、特別図柄変動時にさらに遊技球が第１種始動口２４または下部始動口２６ｂに４個入球した場合、いわゆる特別図柄変動についての保留満タン状態となり、それ以上の入球は無視される。なお、保留されている回数は、４個の保留表示ランプ２０（図２参照）のうちの対応する個数だけの点灯によって遊技者に認知される。
而して、液晶ディスプレイ表示部２２に所定の当たり図柄（ここでは７７７）が表示された場合には、特別入賞装置２６における可動片２６ｃが開き、大入賞口２６ａが所定の時間（典型的には３０秒間若しくは１０個の遊技球が入賞するまでの間）開放する。そして、当該大入賞口２６ａより入賞した遊技球が当該大入賞口２６ａの内部にある特別入賞区域（Ｖゾーン）を通過した場合には、一旦閉じた大入賞口２６ａが再び所定時間開放することとなる。この反復動作は典型的には最大１６回継続される。
【００１７】
上述のとおり、本パチンコ機１０における遊技ではセンター役物１４の真下に配置されている第１種始動口２４に遊技球を効率的に誘導するのが望ましく、そのことを実現するためにセンター役物１４にワープ機構を具備させている。以下、本発明を特徴付けるセンター役物１４の詳細について説明する。なお、図２は遊技盤１２表面側に取付けられる本センター役物１４本体部１４ａの構造を模式的に示す正面図である。また、図３は本センター役物１４を構成するために遊技盤１２裏面側に取付けられる液晶取付け部材６５の構造を模式的に示す正面図（即ち遊技盤１２方向からみた図）である。また、図４は図３におけるIV−IV線断面図である。また、図５は上記本体部１４ａおよび液晶取付け部材６５から構成される本実施形態に係るワープ機構を模式的に説明するための本センター役物１４正面図である（但し本図において遊技盤１２は示していない。）。また、図６、図７および図８は、それぞれ、図５におけるVI−VI線断面図、VII −VII 線断面図およびVIII−VIII線断面図である。
【００１８】
図２に示すように、本センター役物１４は、液晶ディスプレイ表示部２２を遊技盤１２の後方から組み込み得る枠状に成形された合成樹脂製の本体部１４ａを主要構成部材としており、遊技盤１２の中央部に予め設けられた取付け穴１３（俗にルータとも呼ばれている貫通穴）を囲むようにして遊技盤１２の表面側にビスｖによって取り付けられている。この本体部１４ａの上部には上述のキャラクタ装飾板４４や普通図柄表示器１９（図１）を装着するための装着凹部５２が形成されている。図７に示すように、装着凹部５２の背面側には、複数のランプ４８ａ，４８ｂ，４８ｃを備えたランプ基板４５が装着されている。このランプ基板４５は上記制御部に接続されており、遊技状況（例えば普通図柄当たり時）に応じてランプ４８ａ，４８ｂ，４８ｃを点灯させることができる。また、ランプ基板４５の上面には当該ランプ基板４５を保護するためのランプ基板保護カバー４６が装着されている。このランプ基板保護カバー４６の外面の所定の位置には後述する液晶取付け部材６５を正確に取付けるための位置決めボス４７（計２個）が突設されている。このことについては後述する。
一方、装着凹部５２の下方には、パチンコ機１０の正面からみてほぼ方形状の開口部５０（以下「中央開口部５０」という。）が形成されている。
図２に示すように、この中央開口部５０は取付け穴１３の内側に配置されることから、その開口部分は遊技盤１２を貫通した状態となっている。一方、この中央開口部５０の周壁部５４ａ，５４ｂ，５４ｃ，５４ｄは本体部１４ａと一体または別体（好ましくは合成樹脂製）に形成されており、その先端部分は遊技盤１２の裏面側に突き出ている（後述の図７および図８参照）。なお、本実施形態において、中央開口部５０の両側壁に相当する周壁部５４ａ，５４ｃは、透明な合成樹脂から成形されており、遊技者は、中央開口部５０を介して当該周壁部５４ａ，５４ｃの裏面側を視認することができる。
【００１９】
一方、中央開口部５０の両側方には遊技盤１２表面側に隆起した遊技球導入部５６ａ，５６ｂが設けられている。この遊技球導入部５６ａ，５６ｂには本実施形態に係る導入口６０ａ，６０ｂが形成されるとともに、その内部には遊技盤１２を貫通する球通路５３が形成されている。これにより、図６に示すように、遊技盤１２上を流下してきた遊技球を導入口６０ａ，６０ｂから遊技盤１２裏面側に送り出すことができる。
【００２０】
次に、遊技盤１２裏面側における本センター役物１４の構成部材を説明する。遊技盤１２の裏面側には、図３および図４に示すような、液晶取付け部材６５が取付けられる。この液晶取付け部材６５は、液晶ディスプレイ表示部２２を有する液晶ディスプレイ本体２３を装着し得るように方形枠状に形成された枠本体６６（典型的には合成樹脂製）から構成されており、その中央には液晶ディスプレイ表示部２２を素通しできる開口部６４が形成されている。この枠本体６６には、ビス穴を備えた取付け片６３が四隅に設けられているとともに、遊技盤１２表面側に取付けられるセンター役物本体部１４ａとの位置決めのための穴６９ａ，６９ｂや切り欠き部６９ｃが枠本体６６の上辺部および下辺部に設けられている。而して、これら位置決め穴６９ａ，６９ｂを、センター役物１４のランプ基板保護カバー４６上に予め設けられている上記位置決めボス４７とそれぞれ係合させる（図３、図７参照）とともに四隅の取付け片６３をビス着することによって当該液晶取付け部材６５をセンター役物本体部１４ａに対応した遊技盤１２裏面の所定の位置に正確に取付けることができる（図５参照）。なお、この液晶取付け部材６５への液晶ディスプレイ本体２３および周辺部材（後述する偏光フィルタ９０等）の取付けについては後述する。
【００２１】
一方、図３に示すように、枠本体６６の両サイド部には、フラットな形状の補助片６８ａ，６８ｂが開口部６４の内方に設けられている。これら一対の補助片６８ａ，６８ｂは、その内辺部（内側のエッジ部）がセンター役物１４本体部１４ａを遊技盤１２に装着した際に上記周壁部５４ａ，５４ｃの遊技盤１２裏面側に突き出した部分にちょうど接するサイズとなるように内方に延伸して形成されている（図５参照）。
而して、図３に示すように、これら補助片６８ａ，６８ｂの背面側には通路形成部材７１ａ，７１ｂがビスｖによってそれぞれ取付けられている。図３および図４に示すように、本実施形態に係る通路形成部材７１ａ，７１ｂは、ビス取付け穴を有するボス７５ａ，７５ｂ，７６ａ，７６ｂを各々２つ備えた取付け板７２ａ，７２ｂと、当該取付け板７２ａ，７２ｂに突設されるパチンコ機１０正面側からみてコの字状の立設部７３ａ，７３ｂと、遊技球Ｂが通行し得る空間を隔てて補助片６８ａ，６８ｂと対面する状態に配置されるように当該立設部７３ａ，７３ｂから折り曲がって延伸された天板部７４ａ，７４ｂと、から構成される部材である。なお、図４に示すように、取付け板７２ａ，７２ｂと天板部７４ａ，７４ｂとは同一平面上に形成されており、上記ボス７５ａ，７５ｂ，７６ａ，７６ｂはあたかも橋脚のように突設された状態で取付け板７２ａ，７２ｂの一方の面（即ち補助片６８ａ，６８ｂ方向）に配置されている。而して、上記ボス７５ａ，７５ｂ，７６ａ，７６ｂを介して取付け板７２ａ，７２ｂをビスｖによって補助片６８ａ，６８ｂに固着した際には、当該補助片６８ａ，６８ｂの内辺部に沿って縦長の筒状構造体が形成される。すなわち、図３に示すように、これら通路形成部材７１ａ，７１ｂは、遊技盤１２の正面側からみて補助片６８ａ，６８ｂの上に遊技球が通行し得る球受け開口部８０ａ，８０ｂが形成されるようにして当該補助片６８ａ，６８ｂの背面側に取付けられている。なお、図３および図４に示すように、この立設部７３ａ，７３ｂがコの字状に形成されている結果、上記筒状構造体の内側（即ち周壁部５４ａ，５４ｃ突出部分に接する側）には構造物は存在せず、開放されている。
【００２２】
このようにして通路形成部材７１ａ，７１ｂを枠本体６６に設けた結果、本実施形態に係る球誘導路８２ａ，８２ｂは、周壁部５４ａ，５４ｃの遊技盤１２裏面側に突き出た部分に接した状態に形成されることとなる。すなわち、図５に示すように、センター役物１４の本体部１４ａと液晶取付け部材６５とをそれぞれ遊技盤１２の表面および裏面の所定位置に装着した際には、上記周壁部５４ａ，５４ｃの遊技盤１２裏面側に突き出た部分と、上記通路形成部材７１ａ，７１ｂおよび補助片６８ａ，６８ｂからなる筒状構造体とが組み合わさって本実施形態に係る球誘導路８２ａ，８２ｂが形成される。なぜなら、図６および図８に示すように、上記筒状構造体の開放されている内側部分に、上記周壁部５４ａ，５４ｃの突出部分が接して配置される結果、補助片６８ａ，６８ｂと通路形成部材７１ａ，７１ｂ（即ち立設部７３ａ，７３ｂと天板部７４ａ，７４ｂ）と当該周壁部５４ａ，５４ｃ突出部分とによって四方を包囲された上下方向に延びた球誘導路８２ａ，８２ｂ（図６）が完成されるからである。
【００２３】
一方、本実施形態においては、センター役物１４の本体部１４ａと液晶取付け部材６５を所定の位置に装着した場合、図６に示すように、上記球受け開口部８０ａ，８０ｂと上記球通路５３とが遊技球を通行可能な状態で連結されるように構成されている。
これにより、上記導入口６０ａ，６０ｂから球誘導路８２ａ，８２ｂまでが遊技球Ｂを通行可能に接続されることとなり、図５および図７に示すように、遊技盤１２上から導入口６０ａ，６０ｂに入った遊技球Ｂは、そのまま球通路５３および球受け開口部８０ａ，８０ｂを通過して球誘導路８２ａ，８２ｂに受け入れられる。そして、当該球誘導路８２ａ，８２ｂ内をその底面まで落下することとなる。
【００２４】
ここで、当該球誘導路８２ａ，８２ｂの底面に近接する周壁部５４ａ，５４ｃには、図７に示すような放出口６２ａ，６２ｂが設けられている。これにより、球誘導路８２ａ，８２ｂを落下してきた遊技球Ｂは、当該放出口６２ａ，６２ｂからセンター役物１４の中央開口部５０（即ち中央開口部５０を底面を構成する周壁部５４ｄの上面）に送り出される（図５、図７参照）。なお、図３および図５に示すように、遊技球Ｂが球誘導路８２ａ，８２ｂ底面から中央開口部５０にスムーズに送り出されるように、球誘導路８２ａ，８２ｂの底面（即ち立設部７３ａ，７３ｂの一部）は、放出口６２ａ，６２ｂ方向に下がり傾斜が設けられている。
一方、図２および図５に示すように、中央開口部５０の底面を構成する周壁部５４ｄはその両端側から中央に向かって下がり傾斜が設けられており、結果、放出口６２ａ，６２ｂから当該周壁部５４ｄ上面に送り出されてきた遊技球Ｂを当該傾斜に沿って中央部に転動させることができる。なお、ここを転動する遊技球Ｂが不用意に遊技盤１２方向または液晶ディスプレイ表示部２２方向に転動・落下しないように、当該周壁部５４ｄの前端部および後端部にはそれぞれ球止め凸片５５ａ，５５ｂが形成されている（図２、図５）。
而して、図７に示すように、当該周壁部５４ｄの中央部において、転動してきた遊技球Ｂの一部が陥入し得る誘導溝５７が前後方向に形成されている。この誘導溝５７には前方方向へ下がり傾斜が設けられており、その前端部は球止め凸片５５ａが存在しない開放状態に形成された球放出部５９を構成している（図２、図５）。
【００２５】
以上のようにしてワープ機構を備えた結果、本センター役物１４においては、遊技盤１２面を流下する遊技球Ｂが導入口６０ａ，６０ｂに入った場合、球通路５３および球受け開口部８０ａ，８０ｂを経て遊技盤１２裏面の球誘導路８２ａ，８２ｂに受け入れられる。そして、球誘導路８２ａ，８２ｂを落下した遊技球Ｂは放出口６２ａ，６２ｂから中央開口部５０側に送り出され、上記誘導溝５７先端の球放出部５９から第１種始動口２４に向けて放出される。これにより、本パチンコ機１０においては、センター役物１４の下方に配置した第１種始動口２４に遊技球Ｂを積極的に誘導することができる。
【００２６】
ところで、上述のワープ機構を備えた本センター役物１４においては、従来のワープ機構を備えたセンター役物とは異なり、余計なスペースを確保することなく球誘導路８２ａ，８２ｂをコンパクトに形成することが実現されている。さらに、そのことによって、センター役物１４自体がワープ機構を損なうことなくコンパクトに構築されている。従って、本センター役物１４によれば、役物の配置やゲージ構成の制限を抑止することが可能であり、さらには、ワープ機構を設けたことに付随する取付け穴１３自体の大型化を招くおそれがない。以下、このことを説明する。
【００２７】
図２に示すように、本センター役物１４では、遊技盤１２への取付けに要する取付け穴１３を小径化することができる。すなわち、一典型例として図２において想像線で示すように、周壁部５４ａ，５４ｃに接して球誘導路８２ａ，８２ｂを設ける代わりに従来のセンター役物におけるように中央開口部（即ち周壁部）から独立して球誘導路をセンター役物の両側部に別途設けた場合、取付け穴１３の横幅がその分だけ拡大する（符号１３ａ，１３ｂ参照）。ところが上述のとおり、本センター役物１４では、周壁部５４ａ，５４ｃに接した状態で球誘導路８２ａ，８２ｂを設け、さらには当該周壁部５４ａ，５４ｃに放出口６２ａ，６２ｂ（図７）を設けて遊技球を中央開口部５０内に誘導しているため、取付け穴１３を従来の同形状・サイズのセンター役物のそれよりも小さくすることができる。このため、取付け穴の大径化に起因する遊技盤１２そのものの耐久性や強度の低下を未然に防ぐことができる。
【００２８】
また、本実施形態においては、上述のとおり、中央開口部５０の両側壁に相当する周壁部５４ａ，５４ｃが透明な合成樹脂製であるため、遊技者は中央開口部５０および当該周壁部５４ａ，５４ｃを介してそれに接して形成されている球誘導路８２ａ，８２ｂ内を目視することができる。このため、当該球誘導路内を通行する遊技球Ｂを外部（パチンコ機１０正面側）から直接視認することができる。このため、本パチンコ機１０によれば、ワープ機構内における遊技球の存在や通行状況を把握することができ、導入口６０ａ，６０ｂから球誘導路８２ａ，８２ｂに受け入れられた遊技球Ｂの行方が判らなくなることに起因したパチンコ遊技に対する不信感や焦燥感（苛立ち）を遊技者に生じさせることがない。
【００２９】
次に、上記課題を解決する本発明を直接的に特徴付けるものではないが、本パチンコ機１０における液晶取付け部材６５への液晶ディスプレイ本体２３および周辺部材の取付けに関して説明する。
図３および図４に示すように、液晶取付け部材６５の枠本体６６の上辺部には液晶ディスプレイ本体２３を取付けるための位置決め凹部６７が設けられており、枠本体６６の下辺部には液晶ディスプレイ本体２３を取付けるための位置決めボス７０が設けられている。一方、液晶ディスプレイ本体２３の上端部には上記位置決め凹部６７に対応する上部係合片２３ａ（図７参照）が設けられており、下端部には上記位置決めボス７０に対応する下部係合片２３ｂ（図７参照）が設けられている。而して、位置決め凹部６７および位置決めボス７０に上部係合片２３ａおよび下部係合片２３ｂをそれぞれ係合してビス着することによって、液晶取付け部材６５の枠本体６６の所定位置に液晶ディスプレイ本体２３を取付けることができる（図４）。このことによって、本センター役物の中央開口部５０の奥に液晶ディスプレイ表示部２２が配置されることとなり、遊技者は本パチンコ機１０の正面から液晶ディスプレイ表示部２２に映し出される特別図柄を見ることができる。
【００３０】
ところで、本実施形態において使用される液晶ディスプレイはいわゆるモノカラー（単色）液晶である。
一方、本実施形態においては、図７〜図９に示すように、周壁部５４ａ，５４ｂ，５４ｃ，５４ｄの後端と液晶ディスプレイ本体２３の先端との間に偏光フィルタ９０が配置されている。すなわち、図７に示すように、遊技盤１２の裏面側には専用のモータ９４が装備されており、その回転駆動軸には駆動歯車９２が取り付けられている。その駆動歯車９２には、円盤状の偏光フィルタ９０が遊技盤１２の正面側からみて液晶ディスプレイ表示部２２の前方が当該偏光フィルタ９０で覆われるようにして回転可能に噛合して取り付けられている。このように取り付けることによって、所望する時期にモータ９４を駆動させ、それに応じて偏光フィルタ９０を回転させることができる。ここでモータ９４は、特別図柄等の図柄変動や大入賞口２６ａの開閉制御等と同様、典型的には遊技盤１２裏面側に設けられた図示しない制御部によってパチンコ遊技状況に応じて駆動制御されている。なお、駆動歯車９２と噛み合った状態の偏光フィルタ９０は、その円周部の一部が液晶取付け部材６５の随所に設けられた保持部９５と係合することによって所定の位置に安定して保持されている（図７）。
このように、モノカラー液晶ディスプレイ本体２３と、モータ９４の駆動によって回転する偏光フィルタ９０とを組み合わせた結果、液晶ディスプレイ表示部２２に表示される特別図柄および背景の色や輝度を所定の期間だけ反転させることによって遊技者にインパクトを与えることができる。以下、このことを図１０を参照しつつ説明する。
【００３１】
図１０（Ａ）に示すように、通常の液晶ディスプレイ表示部２２に大当たりを示す図柄（ここでは７７７）が表示された場合（若しくは表示されようとしている場合）、上記制御部からの信号に基づきモータ９４が駆動する。而して、歯車９２を介して偏光フィルタ９０をほぼ９０度回転させる。これにより、偏光フィルタ９０を透過する偏光を異ならせ、結果、図１０（Ｂ）に示すように、液晶ディスプレイ表示部２２における当たり図柄（７７７）とその周囲の背景の色や輝度を図１０（Ａ）における通常時とは反転させて表示することができる。そして、当たり図柄が表示されなくなった場合は、再びモータ９４を駆動させて、図１０（Ａ）に示す通常時の偏光透過状態に戻す。
このように、当たり図柄の表示の有無に応じて、偏光フィルタ９０（モータ９４）を作動させることにより、モノカラー液晶ディスプレイ表示部２２の当たり図柄およびその背景色の反転を実現することができる。従って、本パチンコ機１０によれば、従来のモノカラー液晶ディスプレイにおける課題であった図柄表示部における図柄表示の単調さや遊技者に対する低インパクト性を改善し、当たり図柄のような特別な状態を表示する際に遊技者に対して強いインパクトや緊張感を与えることができる。
【００３２】
なお、本実施形態においては、図１０に示すような当たり図柄の際に偏光フィルタ９０を回転させているが、これに限定されるものではなく、遊技者に強いインパクトを与えたほうが望ましい状況（例えば、リーチ時、大当たり時、高確率期間、時短期間）の際に適宜反転動作を行うことができる。また、特にインパクトを与えたい場合には、例えば、モータ９４を断続的に駆動させ、断続的に反転させる（即ち図１０における（Ａ）の状態と（Ｂ）の状態とを交互に繰り返す）ことにより、あたかも表示部２２が点滅しているような印象を遊技者に与えることができる。これにより、遊技者にさらに強い緊張感や感興を起こさせることができる。
【００３３】
以上、本発明の好適な実施形態を説明したが、本発明はワープ機構における球誘導路の少なくとも一部が、上記周壁部における遊技盤裏面側に突き出た部分に接して形成されていることで特徴付けられるものであり、上記一実施形態に限定されない。
例えば、上述のパチンコ機１０においては、球誘導路８２ａ，８２ｂを周壁部５４ａ，５４ｃの外側に接して設けているがこれに限定されない。例えば、上述のような通路形成部材７１ａ，７１ｂを周壁部５４ａ，５４ｃの内側に設けることによって中央開口部５０の内側に上記球通路５３に連通する球誘導路を形成してもよい。なお、この場合には当該内側の球誘導路によって液晶ディスプレイ表示部２２の前方が一部遮られることとなるが、当該球誘導路を構成する部材を全て透明もしくは半透明化することによって液晶ディスプレイ表示部２２の視認性が損なわれるのを防ぐことができる。
また、上述の実施形態においては、遊技装置として可変表示装置を挙げたがこれに限定されるものではなく、例えば第３種パチンコ遊技等に使用されるキャラクターや回転体等が搭載された形態のセンター役物でも上記実施形態のものと同様に構築し得、同様の効果を得ることができる。
さらにまた、上述の実施形態においては、センター役物１４の周壁部５４ａ，５４ｃと液晶取付け部材６５の一部とにより球誘導路８２ａ，８２ｂを形成したが、このような液晶取付け部材に代えて、遊技盤の裏側に装着されるいわゆる裏誘導（即ち入賞球を誘導する部材）の一部とセンター役物１４の周壁部５４ａ，５４ｃとで同様の球誘導路を形成してもよい。
【００３４】
【発明の効果】
本発明によれば、遊技盤に装着されるセンター役物等の遊技装置にワープ機構が備えられた場合であっても、当該遊技装置がそのことによって余計に大型化しないように構成されたパチンコ機が提供される。すなわち、本発明のパチンコ機によれば、周壁部の一部が球誘導路を構成する隔壁の一部を担うこととなるため、当該球誘導路を余計なスペースを確保することなくコンパクトに形成することができる。これにより、本発明のパチンコ機によれば、ワープ機構を備えてもそれによって役物の配置やゲージ構成の制限を抑止することができる。また、従来のワープ機構付きセンター役物におけるような取付け穴自体の大型化を伴わないので遊技盤そのものの耐久性や強度の低下を未然に防ぐことができる。また、本発明のパチンコ機では、上記放出口が球誘導路に接する周壁部に設けられているので当該球誘導路を通行してきた遊技球を遊技装置における上記開口部内に放出することができる。これにより、本発明のパチンコ機によれば、ワープ機構をさらにコンパクトに形成し得、当該遊技装置自体の大型化や取付け穴の無用な大型化をさらに顕著に抑えることができる。
【００３５】
また、本発明のパチンコ機では、上記周壁部の一部であって上記球誘導路を構成する隔壁の一部が透明または半透明に形成されているので遊技者はパチンコ機の正面側から球誘導路の内部を目視し得、球誘導路内を通行している遊技球を視認することができる。このようないわゆる「見えるワープ機構」が提供されることによって、本発明のパチンコ機によれば、さらに、球誘導路に受け入れられた遊技球の行方が判らなくなることに起因するパチンコ遊技に対する不信感や焦燥感（苛立ち）を遊技者に生じさせ得るという従来のワープ機構における他の問題点（課題）を解決することができる。
【図面の簡単な説明】
【図１】一実施形態に係る本発明のパチンコ機の表面構成を示す正面図である。
【図２】一実施形態に係るセンター役物の表面構成を示す正面図である。
【図３】一実施形態に係る液晶取付け部材を示す正面図である。
【図４】図３におけるIV−IV線断面図である。
【図５】一実施形態に係るセンター役物の構成を模式的に示す正面図である。
【図６】図５におけるVI−VI線断面図である。
【図７】図５におけるVII −VII 線断面図である。
【図８】図５におけるVIII−VIII線断面図である。
【図９】一実施形態に係る偏光フィルタの配置状況を模式的に示す正面図である。
【図１０】一実施形態に係る偏光フィルタを用いた場合の液晶ディスプレイの表示状態を説明する図であって、（Ａ）は通常時の表示状態を示し、（Ｂ）は大当たり時の反転表示状態を示す。
【符号の説明】
１０  パチンコ機
１２  遊技盤
１３  取付け穴
１４  センター役物
２２  液晶ディスプレイ表示部
２３  液晶ディスプレイ本体
２４  第１種始動口
５０  中央開口部
５４ａ，５４ｂ，５４ｃ，５４ｄ  周壁部
６０ａ，６０ｂ  導入口
６５  液晶取付け部材
６２ａ，６２ｂ  放出口
７１ａ，７１ｂ  通路形成部材
７３ａ，７３ｂ  立設部
８０ａ，８０ｂ  開口部
８２ａ，８２ｂ  球誘導路
９０  偏光フィルタ
９４  モータ
Ｂ  遊技球
【図１】
0004433102.tif 000002
【図２】
0004433102.tif 000003
【図３】
0004433102.tif 000004
【図４】
0004433102.tif 000005
【図５】
0004433102.tif 000006
【図６】
0004433102.tif 000007
【図７】
0004433102.tif 000008
【図８】
0004433102.tif 000009
【図９】
0004433102.tif 000010
【図１０】
0004433102.tif 000011